(57)【要約】【課題】確実に転倒を防止する。【解決手段】補助脚部５（６）は、その一端部が、支柱２（３）の下部に回動自在に取り付けられ、他端部が、収納時に支柱２（３）に固定され、使用時に梯子１の設置面に当てられる。押え部材７（８）の突状部は、補助脚部５（６）に形成された複数の溝部のなかから、適切な溝部が選択されて挿入され、補助脚部５（６）の設置面となす角度に応じて、押え位置を調節して、補助脚部５（６）を確実に押える。【選択図】図１
0003129687.tif 000002
【実用新案登録請求の範囲】
【請求項１】
一対の支柱と、前記両支柱間に互いに平行に配置された複数の踏桟と、前記両支柱に取り付けられた一対の補助脚部とを備えてなる梯子であって、
前記補助脚部は、その一方の端部が、前記支柱の側部に、前記支柱及び前記踏桟に略垂直な方向に沿った回動軸の周りに回動自在に取り付けられた長尺部材からなり、他方の端部が、使用時に当該梯子の設置面に当てられ、梯子本体を支えるために用いられることを特徴とする梯子。
【請求項２】
使用時に前記補助脚部が前記設置面に対して固定されるように、前記補助脚部の所定の部位を上方から押える押え部材を備えてなることを特徴とする請求項１記載の梯子。
【請求項３】
前記押え部材は、その一方の端部が、前記支柱の側部に、前記支柱及び前記踏桟に略垂直な方向に沿った回動軸の周りに回動自在に取り付けられ、他方の端部が、使用時に前記補助脚部の所定の部位を押える長尺部材からなることを特徴とする請求項２記載の梯子。
【請求項４】
前記押え部材の前記他方の端部には、前記補助脚部にその長さ方向に沿って形成された複数の孔部又は凹部に、挿入されるか又は突き当てられる凸部が形成されていることを特徴とする請求項３記載の梯子。
【請求項５】
前記補助脚部の前記一方の端部は、前記支柱の下端部に取り付けられ、前記補助脚部は、前記支柱と略同一の長さを有していると共に、前記補助脚部及び前記押え部材は、非使用時に、それぞれの前記他方の端部が前記支柱に固定されて、前記支柱の側部に取り付けられることを特徴とする請求項１乃至４のいずれか１に記載の梯子。
【考案の詳細な説明】
【技術分野】
【０００１】
この考案は、梯子に係り、例えば、建築現場等で用いられ、横滑り等による転倒防止のための補助脚部が支柱に取り付けられている梯子に関する。
【背景技術】
【０００２】
従来より、例えば、高所作業時には、梯子や脚立が用いられる。梯子は、幅に対して長さが非常に長く、例えば、梯子を住宅の外壁に立て掛けて作業をするような場合には、梯子の先端部付近の高所に作業者がいると、重心が高くなり、作業者の動きや、物品の受渡し、突風の発生等によって、外力を受けてバランスを失うと、横滑りして、横倒れすることがあり、作業者が転落する虞があるので、作業者によって大変危険であった。
このため、梯子の下部に、補助脚部を設けて、使用時に引き出して両側に張り出して、梯子本体を支えて安定させて、横倒れを防止する技術が提案されている。
【考案の開示】
【考案が解決しようとする課題】
【０００３】
解決しようとする問題点は、上記従来技術では、確実に転倒を防止することが困難であるという点である。
すなわち、補助脚部が梯子の下部の限られた部位に収納され、これを引き出して使用するので、長さを確保できず、比較的大きな外力が上部にかかると、耐えきれなくなて、作業員を載せたまま横倒れしてしまう。また、収納された補助脚部を引き出して使用するまでに時間と手間がかかる。
【０００４】
この考案は、上述の事情に鑑みてなされたもので、簡素な構成ながら、確実に横倒れ等の転倒を防止することができる梯子を提供することを目的としている。
【課題を解決するための手段】
【０００５】
上記課題を解決するために、請求項１記載の考案は、一対の支柱と、上記両支柱間に互いに平行に配置された複数の踏桟と、上記両支柱に取り付けられた一対の補助脚部とを備えてなる梯子に係り、上記補助脚部は、その一方の端部が、上記支柱の側部に、上記支柱及び上記踏桟に略垂直な方向に沿った回動軸の周りに回動自在に取り付けられた長尺部材からなり、他方の端部が、使用時に当該梯子の設置面に当てられ、梯子本体を支えるために用いられることを特徴としている。
【０００６】
また、請求項２記載の考案は、請求項１記載の梯子に係り、使用時に上記補助脚部が上記設置面に対して固定されるように、上記補助脚部の所定の部位を上方から押える押え部材を備えてなることを特徴としている。
【０００７】
また、請求項３記載の考案は、請求項２記載の梯子に係り、上記押え部材は、その一方の端部が、上記支柱の側部に、上記支柱及び上記踏桟に略垂直な方向に沿った回動軸の周りに回動自在に取り付けられ、他方の端部が、使用時に上記補助脚部の所定の部位を押える長尺部材からなることを特徴としている。
【０００８】
また、請求項４記載の考案は、請求項３記載の梯子に係り、上記押え部材の上記他方の端部には、上記補助脚部にその長さ方向に沿って形成された複数の孔部又は凹部に、挿入されるか又は突き当てられる凸部が形成されていることを特徴としている。
【０００９】
また、請求項５記載の考案は、請求項１乃至４のいずれか１に記載の梯子に係り、上記補助脚部の上記一方の端部は、上記支柱の下端部に取り付けられ、上記補助脚部は、上記支柱と略同一の長さを有していると共に、上記補助脚部及び上記押え部材は、非使用時に、それぞれの上記他方の端部が上記支柱に固定されて、上記支柱の側部に取り付けられることを特徴としている。
【考案の効果】
【００１０】
この考案の構成によれば、補助脚部は、その一端部が、支柱の側部に、支柱及び踏桟に略垂直な方向に沿った回動軸の周りに回動自在に取り付けられた長尺部材からなり、他端部が、使用時に梯子の設置面に当てられるので、簡素な構成ながら、確実に横倒れ等の転倒を防止することができる。
【考案を実施するための最良の形態】
【００１１】
補助脚部は、その一端部が、支柱の側部に、支柱及び踏桟に略垂直な方向に沿った回動軸の周りに回動自在に取り付けられた長尺部材からなり、他端部が、使用時に梯子の設置面に当てられることによって、簡素な構成ながら、確実に横倒れ等の転倒を防止するという目的を実現した。
【実施例１】
【００１２】
図１は、この考案の第１の実施例である梯子の構成を示す正面図、図２は、図１のＡ−Ａ線に沿った断面図、図３は、図１のＢ−Ｂ線に沿った断面図、図４は、図１のＣ−Ｃ線に沿った断面図、図５は、同梯子の補助脚部の構成を示す図、図６は、同梯子の押え部材の構成を示す図、また、図７乃至図１０は、同梯子の動作を説明するための説明図である。
【００１３】
この例の梯子１は、図１及び図９に示すように、一対の長尺な支柱（側枠）２，３と、両支柱２，３間に互いに平行にかつ等間隔に配置された複数の踏桟４，４，…と、一端部が、両支柱２，３に、支柱２，３及び踏桟４，４，…に略垂直な方向に沿った回動軸の周りに回動自在に取り付けられ、他端部が、収納時に支柱２，３に固定されると共に、使用時に梯子１の設置面Ｇに当てられる長尺な一対の補助脚部５，６と、使用時に補助脚部５，６が設置面Ｇに対して固定されるように補助脚部５，６を押える一対の押え部材７，８とを備えてなっている。
なお、支柱２，３の下端部には、支柱２，３が設置面Ｇに対して所定の範囲内の角度をなして壁等に立て掛けられるための脚端具１１，１２が取り付けられている。
【００１４】
支柱２（３）は、例えば、ステンレス鋼製の断面溝形の部材からなり、図２に示すように、ウェブ部１３（１４）と、ウェブ部１３（１４）の両側に形成されたフランジ部１５，１５（１６，１６）とを有し、ウェブ部１３，１４同士が内側となるように配置されている。
また、支柱２（３）のフランジ部１５，１５（１６，１６）の補助脚部５（６）の一端部のフランジ部が対向配置される所定の部位には、図３に示すように、固定具としてのボルトＭ1の軸部を挿通するための雌なじが螺設されていないボルト挿通孔１５ａ，１５ａ（１６ａ，１６ａ）が形成されている。
なお、ボルト挿通孔１５ａ，１５ａ（１６ａ，１６ａ）は、その径が、ボルトＭ1の径より若干大きく設定されている。
【００１５】
また、支柱２（３）のフランジ部１５，１５（１６，１６）の押え部材７（８）の一端部のフランジ部が対向配置される所定の部位には、図４に示すように、固定具としてのボルトＭ2の軸部を挿通するための雌なじが螺設されていないボルト挿通孔１５ｂ，１５ｂ（１６ｂ，１６ｂ）が形成されている。
なお、ボルト挿通孔１５ｂ，１５ｂ（１６ｂ，１６ｂ）は、その径が、ボルトＭ2の径より若干大きく設定されている。また、ボルト挿通孔１５ｂ，１５ｂ（１６ｂ，１６ｂ）には、共通のボルトＭ2の軸部が挿通される。
【００１６】
また、支柱２（３）のフランジ部１５，１５（１６，１６）の補助脚部５（６）の収納時に、補助脚部５（６）の他端部のフランジ部が対向配置される所定の部位には、図８に示すように、固定具としてのボルトＭ3の軸部を挿通するための雌なじが螺設されていないボルト挿通孔（不図示）が形成されている。
【００１７】
各踏桟４は、例えば、ステンレス鋼製の上側に平坦部を有する中空部材からなり、支柱２，３間に掛け渡された状態で、例えば、溶接によって、両端部が支柱２，３に固定されている。
補助脚部５（６）は、例えば、ステンレス鋼製の断面溝形の部材からなり、図３に示すように、ウェブ部２２（２３）と、ウェブ部２２（２３）の両側に形成されたフランジ部２４，２４（２５，２５）とを有し、一端部が支柱２（３）の下部の所定の部位に、固定具を用いて、回動自在に取り付けられている。
【００１８】
補助脚部５（６）は、収納時に、ウェブ部２２（２３）が外側を向くように、支柱２（３）に取り付けられる。補助脚部５（６）は、ウェブ部２２（２３）の幅が、支柱２（３）のウェブ部１３（１４）の幅よりも小さく設定され、収納時には、支柱２（３）のウェブ部１３（１４）と、フランジ部１５，１５（１６，１６）とで囲まれた溝部に略収まるように寸法が設定されている。
【００１９】
また、補助脚部５（６）の一端部のフランジ部２４，２４（２５，２５）の所定の部位には、図３に示すように、固定具としてのボルトＭ1の軸部を挿通するための雌なじが螺設されていないボルト挿通孔２４ａ，２４ａ（２５ａ，２５ａ）が形成されている。
なお、ボルト挿通孔２４ａ，２４ａ（２５ａ，２５ａ）は、その径が、ボルトＭ1の径より若干大きく設定されている。
支柱２（３）のフランジ部１５，１５（１６，１６）と、補助脚部５（６）のフランジ部２４，２４（２５，２５）の一端部とが組み合わされた状態で、ボルトＭ1が、ボルト挿通孔１５ａ，１５ａ（１６ａ，１６ａ）とボルト挿通孔２４ａ，２４ａ（２５ａ，２５ａ）とに挿通され、ボルトＭ1の軸部にナットＮ1が螺合することによって、補助脚部５（６）の一端部は、支柱２（３）に回動自在に取り付けられる。
【００２０】
また、補助脚部５（６）の他端部のフランジ部２４，２４（２５，２５）の所定の部位には、図８に示すように、固定具としてのボルトＭ3の軸部を挿通するための雌なじが螺設されていないボルト挿通孔（不図示）が形成されている。
補助脚部５（６）及び押え部材７（８）の収納時に、支柱２（３）のフランジ部１５，１５（１６，１６）の所定の部位と、補助脚部５（６）のフランジ部２４，２４（２５，２５）との他端部が、対向配置されるように、かつ、ボルト挿通孔が軸を共通として合わされた状態で、支柱２（３）のフランジ部１５，１５（１６，１６）と、補助脚部５（６）のフランジ部２４，２４（２５，２５）の他端部とに形成されたがボルト挿通孔に、ボルトＭ3が挿通され、ボルトＭ3の軸部にナット（不図示）が螺合することによって、補助脚部５（６）の他端部が、支柱２（３）に固定される。
【００２１】
こうして、補助脚部５（６）が支柱２（３）の溝内に収納される。ここで、押え部材７（８）は、支柱２（３）と補助脚部５（６）とが、ウェブ部を互いに対向させた状態で形成された断面矩形状の収納空間内に保持されて、収納される。
また、補助脚部５（６）のウェブ部２２（２３）の押え部材７（８）の先端部が当てられる所定の領域には、図５及び図７に示すように、長さ方向に沿って複数のスリット状の溝部２２ａ（２３ａ）が形成されている。
【００２２】
押え部材７（８）は、例えば、ステンレス鋼製の断面溝形の部材からなり、図４に示すように、ウェブ部２７（２８）と、ウェブ部２７（２８）の両側に形成されたフランジ部２９，２９（３１，３１）とを有し、一端部が支柱２（３）の補助脚部５，６の取付位置よりも上方の所定の部位に、固定具を用いて、回動自在に取り付けられている。
【００２３】
押え部材７（８）は、収納時に、ウェブ部２７（２８）が外側を向くように、支柱２（３）に取り付けられる。押え部材７（８）は、ウェブ部２７（２８）の幅が、補助脚部５（６）のウェブ部２２（２３）の幅よりも小さく設定され、収納時には、支柱２（３）の溝部と、補助脚部５（６）の溝部とで囲まれて形成された収納空間内に略収まるように寸法が設定されている。
【００２４】
また、押え部材７（８）の一端部のフランジ部２９，２９（３１，３１）の所定の部位には、図４に示すように、固定具としてのボルトＭ2の軸部を挿通するための雌なじが螺設されていないボルト挿通孔２９ａ，２９ａ（３１ａ，３１ａ）が形成されている。
なお、ボルト挿通孔２９ａ，２９ａ（３１ａ，３１ａ）は、その径が、ボルトＭ2の径より若干大きく設定されている。
支柱２（３）のフランジ部１５，１５（１６，１６）の所定の部位と、押え部材７（８）のフランジ部２９，２９（３１，３１）の一端部とが組み合わされた状態で、ボルトＭ2が、ボルト挿通孔１５ｂ，１５ｂ（１６ｂ，１６ｂ）とボルト挿通孔２９ａ，２９ａ（３１ａ，３１ａ）に挿通され、ボルトＭ2の軸部にナットＮ2が螺合することによって、押え部材７（８）の一端部は、支柱２（３）に回動自在に取り付けられる。
また、ボルト挿通孔２９ａ，２９ａ（３１ａ，３１ａ）には、共通のボルトＭ2の軸部が挿通される。
【００２５】
押え部材７（８）の先端部においては、図６及び図７に示すように、フランジ部２９，２９（３１，３１）が除去されて、ウェブ部２７（２８）が、補助脚部５（６）の所定の溝部２２ａ（２３ａ）に挿通される突状部２７ａ（２８ａ）として突設されている。
使用時には、補助脚部５（６）と梯子１の設置面（地面）Ｇとのなす角度に応じて、補助脚部５（６）が設置面Ｇに対して固定されるように、突状部２７ａ（２８ａ）が挿入されるべき溝部２２ａ（２３ａ）として、複数の溝部２２ａ，２２ａ，…（２３ａ，２３ａ，…）のなかから、適切な溝部２２ａ（２３ａ）が選択される。
【００２６】
補助脚部５（６）及び押え部材７（８）の収納時には、押え部材７（８）を支柱２（３）の溝部内に配置した状態で、支柱２（３）のフランジ部１５，１５（１６，１６）の所定の部位と、補助脚部５（６）のフランジ部２４，２４（２５，２５）との他端部が、対向配置されるように、かつ、ボルト挿通孔が軸を共通として合わせられて、支柱２（３）のフランジ部１５，１５（１６，１６）と、補助脚部５（６）のフランジ部２４，２４（２５，２５）の他端部とに形成されたがボルト挿通孔に、ボルトＭ3が挿通され、ボルトＭ3の軸部にナット（不図示）が螺合することによって、補助脚部５（６）の他端部が、支柱２（３）に固定される。
こうして、押え部材７（８）は、支柱２（３）と補助脚部５（６）とが、ウェブ部を互いに対向させた状態で形成された断面矩形状の収納空間内に保持されて、収納される。
【００２７】
次に、図７乃至図１０を参照して、この例の梯子１の動作について説明する。
使用時には、補助脚部５（６）と梯子１の設置面Ｇとのなす角度に応じて、補助脚部５（６）が設置面Ｇに対して固定されるように、押え部材７（８）の突状部２７ａ（２８ａ）が挿入されるべき溝部２２ａ（２３ａ）として、図７に示すように、複数の溝部２２ａ，２２ａ，…（２３ａ，２３ａ，…）のなかから、適切な溝部２２ａ（２３ａ）が選択されて、突状部２７ａ（２８ａ）が挿入される。
【００２８】
例えば、図９に示すように、設置面Ｇが一様に平坦な場合には、補助脚部５，６は、梯子本体の対称軸に対して左右対称に配置され、押え部材７，８の突状部２７ａ，２８ａは、共に、長さ方向に沿って上記対称軸から等距離の溝部２２ａ，２３ａに嵌め込まれる。
【００２９】
また、梯子本体の配置位置の近傍の地面に、図１０に示すように、梯子本体から遠い位置が低くなった段差部３３が存在している場合には、補助脚部５と設置面Ｇとのなす角度よりも、補助脚部６と設置面Ｇとのなす角度の方が大きくなるため、押え部材８の突状部２８ａは、設置面Ｇが一様に平坦な場合よりも上記対称軸側にずれた溝部２３ａに、嵌め込むことで、両補助脚部５，６が設置面Ｇに対して固定されるようになる。
【００３０】
補助脚部５（６）及び押え部材７（８）の収納時には、図８に示すように、支柱２（３）のフランジ部１５，１５（１６，１６）の所定の部位と、補助脚部５（６）のフランジ部２４，２４（２５，２５）の他端部とが、対向配置されるように、かつ、ボルト挿通孔が軸を共通として合わされた状態で、支柱２（３）のフランジ部１５，１５（１６，１６）と、補助脚部５（６）のフランジ部２４，２４（２５，２５）の他端部とに形成されたがボルト挿通孔に、ボルトＭ3が挿通され、ボルトＭ3の軸部にナット（不図示）が螺合することによって、補助脚部５（６）の他端部が、支柱２（３）に固定される。
こうして、補助脚部５（６）が支柱２（３）の溝内に収納される。ここで、押え部材７（８）は、支柱２（３）と補助脚部５（６）とが、ウェブ部を互いに対向させた状態で形成された断面矩形状の収納空間内に保持されて、収納される。
【００３１】
このように、この例の構成によれば、補助脚部５（６）は、その一端部が、支柱２（３）の側部に、支柱２（３）及び踏桟４に略垂直な方向に沿った回動軸の周りに回動自在に取り付けられた長尺部材からなり、他端部が、収納時に支柱２（３）に固定されると共に、使用時に当該梯子１の設置面Ｇに当てられ、梯子本体を支えるので、簡素な構成ながら、確実に転倒を防止することができる。
【００３２】
しかも、補助脚部５（６）の一端部を、支柱２（３）の下部に取り付けるように構成されているので、従来技術に比べ、補助脚部５（６）の長さを長くすることができ、梯子本体を安定化させて、横ずれによる脱落や転倒等を、一段と確実に防止することができる。
また、補助脚部５（６）によって、補助脚部５（６）を押えて、補助脚部５（６）を設置面Ｇに対して確実に固定することができる。
【００３３】
また、押え部材７（８）の突状部２７ａ（２８ａ）が挿入されるべき溝部２２ａ（２３ａ）として、複数の溝部２２ａ，２２ａ，…（２３ａ，２３ａ，…）のなかから、適切な溝部２２ａ（２３ａ）が選択されて、突状部２７ａ（２８ａ）が挿入されるので、補助脚部５（６）の設置面Ｇとなす角度に応じて、押え位置を調節して、補助脚部５（６）を確実に押えることができ、段差がある箇所や、凹凸の激しい不整面でも対応することができる。
【実施例２】
【００３４】
図１１は、この考案の第２の実施例である梯子の構成を示す図、また、図１２は、同梯子の動作を説明するための説明図である。
この例が上述した第１の実施例と大きく異なるところは、第１の実施例では補助脚部及び押え部材として、断面溝形の部材を用いたのに対して、補助脚部として断面山形の部材を用い、押え部材として棒状部材を用いた点である。
これ以外の構成は、上述した第１の実施例の構成と略同一であるので、第１の実施例と同一の構成要素については、図１１及び図１２において、図３及び図７で用いた符号と同一の符号を用いて、その説明を簡略にする。
【００３５】
この例の梯子１Ａは、図１１及び図１２に示すように、一対の支柱４１，４２と、両支柱４１，４２間に互いに平行にかつ等間隔に配置された複数の踏桟４３，４３，…と、一端部が、両支柱４１，４２に、支柱４１，４２及び踏桟４３，４３，…に略垂直な方向に沿った回動軸の周りに回動自在に取り付けられ、他端部が収納時に支柱４１，４２に固定されると共に、使用時に梯子の設置面Ｇに当てられる長尺な一対の補助脚部４４，４５と、使用時に補助脚部４４，４５が設置面Ｇに対して固定されるように補助脚部４４，４５を押える一対の押え部材４６，４７とを備えてなっている。
【００３６】
支柱４１（４２）は、図１１に示すように、ウェブ部４８（４９）と、ウェブ部４８（４９）の両側に形成されたフランジ部５１，５１（５２，５２）とを有し、ウェブ部４８，４９同士が内側となるように配置されている。
また、支柱４１（４２）のフランジ部５１，５１（５２，５２）の補助脚部４４（４５）の一端部のフランジ部が対向配置される所定の部位には、固定具としてのボルトＭ4の軸部を挿通するための雌なじが螺設されていないボルト挿通孔５１ａ（５２ａ）が形成されている。
【００３７】
補助脚部４４（４５）は、図１１及び図１２に示すように、断面山形（Ｌ字形）の長尺部材からなり、底板部５３（５４）と、底板部５３（５４）の端縁から垂直に折曲延設された側板部５５（５６）とを有し、一端部が支柱４１（４２）の下部の所定の部位に、固定具を用いて、回動自在に取り付けられている。
【００３８】
補助脚部４４（４５）は、収納時に、底板部５３（５４）の外面が外側を向くように、支柱４１（４２）に取り付けられる。補助脚部４４（４５）は、底板部５３（５４）の幅が、支柱４１（４２）のウェブ部４８，４９の幅よりも小さく設定され、収納時には、支柱４１（４２）のウェブ部４８（４９）と、フランジ部５１，５１（５２，５２）とで囲まれた溝部に略収まるように寸法が設定されている。
また、補助脚部４４（４５）の一端部の側板部５５（５６）の所定の部位には、図１１に示すように、固定具としてのボルトＭ4の軸部を挿通するための雌なじが螺設されていないボルト挿通孔５５ａ（５６ａ）が形成されている。
【００３９】
支柱４１（４２）のフランジ部５１，５１（５２，５２）と、補助脚部４４（４５）の側板部５５（５６）の一端部とが組み合わされた状態で、ボルトＭ4が、ボルト挿通孔５１ａ（５２ａ）とボルト挿通孔５５ａ（５６ａ）に挿通され、ボルトＭ4の軸部にナットＮ4が螺合することによって、補助脚部４４（４５）の一端部は、支柱４１（４２）に回動自在に取り付けられる。
また、補助脚部４４（４５）の底板部５３（５４）の押え部材４６，４７の先端部が当てられる所定の領域には、図１２に示すように、長さ方向に沿って複数の円形状の孔部５３ａ（５４ａ）が形成されている。
【００４０】
押え部材４６（４７）は、図１２に示すように、断面円形の棒状部材からなり、一端部が支柱４１（４２）の補助脚部４４（４５）の取付位置よりも上方の所定の部位に、固定具を用いて、回動自在に取り付けられている。
押え部材４６（４７）の先端部には、図１２に示すように、孔部５３ａ（５４ａ）に嵌め込まれる断面円形状の突状部４６ａ（４７ａ）が形成されている。
【００４１】
使用時には、補助脚部４４（４５）と梯子１Ａの設置面Ｇとのなす角度に応じて、補助脚部４４（４５）が設置面Ｇに対して固定されるように、突状部４６ａ（４７ａ）が挿入されるべき孔部５３ａ（５４ａ）として、複数の孔部５３ａ，５３ａ，…（５４ａ，５４ａ，…）のなかから、適切な孔部５３ａ（５４ａ）が選択される。
【００４２】
この例の構成によれば、上述した第１の実施例と略同様の効果を得ることができる。
加えて、構成を一段と簡素化し、コストを低減し、かつ、軽量化を図ることができる。
【実施例３】
【００４３】
図１３は、この考案の第３の実施例である梯子の構成及び動作を説明するための説明図である。
この例が上述した第１の実施例と大きく異なるところは、第１の実施例では、梯子本体を、伸縮機能のない一連形式としたのに対して、梯子本体を２連形式として、伸縮機能を持たせた点である。
これ以外の構成は、上述した第１の実施例の構成と略同一であるので、第１の実施例と同一の構成要素については、図１３において、図９で用いた符号と同一の符号を用いて、その説明を簡略にする。
【００４４】
この例の梯子１Ｂは、図１３に示すように、梯子本体が２連形式の梯子であり、下位梯子６１と、下位梯子６１の後に摺動自在（昇降自在）に連結された上位梯子６２と、下位梯子６１の両側に、回動自在に取り付けられた一対の補助脚部６３，６４と、補助脚部６３，６４を押える一対の押え部材６５，６６とを備えてなっている。
なお、この梯子１Ｂには、上位梯子昇降用のロープ（不図示）と、使用状態で下位梯子６１に対する上位梯子６２の下方への変位を阻止すると共に、ここから上位梯子６２を所定量以上上方へ変位させた際に、この変位を許容するロック／ロック解除部６７とが設けられている。
【００４５】
この例の構成によれば、上述した第１の実施例と略同様の効果を得ることができる。
【００４６】
以上、この考案の実施例を図面を参照して詳述してきたが、具体的な構成はこの実施例に限られるものではなく、この考案の要旨を逸脱しない範囲の設計の変更等があってもこの考案に含まれる。
例えば、上述した実施例では、補助脚部に、溝部や孔部を設ける場合について述べたが、これに限らず、単に窪みを形成し、この窪みに押え部材の先端を突き当てて、補助脚部を固定するように構成しても良い。
また、高所作業時のほか、例えば、地表の開口から地下への降下時等に用いることができる。
【００４７】
また、補助脚部は、溝形や山形に限らず、Ｈ形や、Ｉ形、Ｔ形の部材を用いても良い。また、平板状や棒状の部材を用いても良い。
また、支柱や、踏桟、補助脚部、押さえ部材は、ステンレス鋼製に限らず、例えば、アルミニウム等の他の金属製であっても良いし、合金製であっても良い。また、複合材料や、合成樹脂、木材を用いた部材であっても良い。
【００４８】
また、補助脚部や、押さえ部材の一端部を支柱に回動自在に取り付ける際の取付方法としては、固定具として、ボルト及びナットを用いる方法に限らず、例えば、頭部付きのピン状部材の軸部を挿通孔に挿通させて、端部を折曲させても良い。
また、補助脚部を支柱の溝部に収納する際の固定方法としては、ボルト及びナットを用いる方法に限らず、例えば、補助脚部及び押え部材の他端部を、所定の嵌着具を用いて支柱に固定するようにしても良い。また、ボルトの軸部の端部に形成した挿入孔にピン状部材を挿入して、ナットやボルトの脱落を防止するようにしても良い。
【００４９】
また、収納時は、例えば、補助脚部５，６の他端部のほか、押え部材の他端部も固定具を用いて固定するようにしても良い。
また、押え部材は、必ずしも設けなくて良く、使用時に、補助脚部の先端部を、例えば、所定の固定具（締結具）や重量物で押えても良いし、近傍の構造物の凹部に、係止させるようにしても良い。
【００５０】
また、第２の実施例で、図１４に示すように、補助脚部７１の断面山形の部材の底板部７２を、例えば、支柱４１の外側に配置するようにして、支柱４１に取り付けても良い。この場合、補助脚部７１の一端部では、底板部７２を除去して、側板部７３の端部を支柱４１のフランジ部５１の内面側に取り付ける。
また、図１５に示すように、補助脚部７１の一端部で、側板部７３の端部を、例えば、支柱４１のフランジ部５１の外面側に取り付けるようにしても良い。
【００５１】
また、第３の実施例で、２連（２段構成）の梯子に適用する場合について述べたが、３連以上の場合にも適用することができる。
また、補助脚部を伸縮機能を有さない固定式の場合について述べたが、梯子本体に合わせて、補助脚部も伸縮可能に構成しても良い。また、２連式の場合、上位梯子の方に、補助脚部及び押え部材を取り付けるようにしても良い。
【図面の簡単な説明】
【００５２】
【図１】この考案の第１の実施例である梯子の構成を示す正面図である。
【図２】図１のＡ−Ａ線に沿った断面図である。
【図３】図１のＢ−Ｂ線に沿った断面図である。
【図４】図１のＣ−Ｃ線に沿った断面図である。
【図５】同梯子の補助脚部の構成を示す図である。
【図６】同梯子の押え部材の構成を示す図である。
【図７】同梯子の動作を説明するための説明図である。
【図８】同梯子の動作を説明するための説明図である。
【図９】同梯子の動作を説明するための説明図である。
【図１０】同梯子の動作を説明するための説明図である。
【図１１】この考案の第２の実施例である梯子の構成を示す図である。
【図１２】同梯子の動作を説明するための説明図である。
【図１３】この考案の第３の実施例である梯子の構成及び動作を説明するための説明図である。
【図１４】この考案の第２の実施例の変形例である梯子の補助脚部の構成を示す図である。
【図１５】この考案の第２の実施例の別の変形例である梯子の補助脚部の構成を示す図である。
【符号の説明】
【００５３】
１，１Ａ，１Ｂ      梯子
２，３、４１，４２      支柱
４，４３      踏桟
５，６、４４，４５、６３，６４      補助脚部
７，８、４６，４７、６５，６６      押え部材
１３ａ，１４ａ      溝部（孔部）
２７ａ，２８ａ      突状部（凸部）
４６ａ，４７ａ      孔部
５３ａ，５４ａ      突状部（凸部）
Ｇ      設置面
【図１】
0003129687.tif 000003
【図２】
0003129687.tif 000004
【図３】
0003129687.tif 000005
【図４】
0003129687.tif 000006
【図５】
0003129687.tif 000007
【図６】
0003129687.tif 000008
【図７】
0003129687.tif 000009
【図８】
0003129687.tif 000010
【図９】
0003129687.tif 000011
【図１０】
0003129687.tif 000012
【図１１】
0003129687.tif 000013
【図１２】
0003129687.tif 000014
【図１３】
0003129687.tif 000015
【図１４】
0003129687.tif 000016
【図１５】
0003129687.tif 000017